(57)【要約】【課題】本発明は、携帯電話機にＡＭ放送の受信機能を搭載したことに起因する携帯電話機のサイズの増大を抑える。【解決手段】ＨＡＣ規格に対応するために携帯電話機に備え付けられたスピーカを構成するＨＡＣ用のコイルをＡＭアンテナに用いる。携帯電話機のＡＭ放送の受信動作時にスイッチ回路９０を導通状態にして当該ＡＭアンテナによって受信されたＡＭ放送の放送信号をＡＭ復調ユニット８０に供給し、ＡＭ復調ユニット８０で復調処理を行うなどしてスピーカ３０からＡＭ放送の音声を出力する。【選択図】図３
2008160568.tif 000002
【特許請求の範囲】
【請求項１】
ＨＡＣ（Hearing Aid Compatibility）規格に対応する携帯電話機において、
ボイスコイル及び当該ボイスコイルに供給する音声信号の周波数に応じた磁界を発生させるためのＨＡＣコイルを有するＨＡＣスピーカと、
ＡＭ放送の放送信号を復調する復調手段と、
を備え、
前記ＨＡＣスピーカのＨＡＣコイルを、前記復調手段において復調するＡＭ放送の放送信号を受信するためのＡＭアンテナに用いる
ことを特徴とする携帯電話機。
【請求項２】
前記ＨＡＣコイルと前記復調手段との間に設けられたスイッチ手段と、
ＡＭ放送の受信動作時に前記ＨＡＣコイルと前記復調手段との間を導通状態にするように前記スイッチング手段の制御を行う制御手段と、
をさらに備えることを特徴とする請求項１記載の携帯電話機。
【請求項３】
音声信号の周波数に応じた磁界を発生させるコイルを有し、音声帯域の信号を出力するスピーカ手段と、
所定の周波数帯域の放送信号を復調する復調手段と、
を備え、
前記コイルを所定の周波数帯域の放送信号を受信するためのアンテナに用いる
ことを特徴とする携帯電話機。
【発明の詳細な説明】
【技術分野】
【０００１】
本発明は、ＡＭ放送の受信機能を有するＨＡＣ（Hearing Aid Compatibility）規格に対応する携帯電話機に関する。
【背景技術】
【０００２】
近年、アメリカでは携帯電話機がＨＡＣ規格に対応する必要があり、このため、ＨＡＣ規格に対応するためのスピーカ（以下、ＨＡＣスピーカという。）が携帯電話機に搭載される。ＨＡＣスピーカは、例えば、磁性体の外側に配置されたボイスコイルの他に、ターン数が非常に多いコイル（以下、ＨＡＣコイルという。）を備え、ボイスコイルに供給する音声信号をＨＡＣコイルに供給することによって音声信号の周波数に応じた磁界を発生させ、当該磁界を補聴器に加えることによって音声を伝えるものである。
【０００３】
また、携帯電話機にＡＭ放送の受信機能を搭載させることがある（例えば、特許文献１参照。）。
そして、ＨＡＣ規格に対応した携帯電話機にＡＭ放送の受信機能を搭載する場合、携帯電話機にＨＡＣ規格対応用のスピーカを搭載した上に、ＡＭ放送の放送信号を受信するための専用のＡＭアンテナやその放送信号を復調するための復調回路を搭載する必要がある。
【特許文献１】特開２００２−１０１１６４号公報
【発明の開示】
【発明が解決しようとする課題】
【０００４】
ところで、ＡＭ放送の放送周波数は低く（日本では５３１ｋＨｚから１６０２ｋＨｚ）、波長は例えば周波数が１０００ｋＨｚの場合には３００ｍと長くなる。このことから、ＡＭ放送の受信用のＡＭアンテナは、コイルを磁性体に非常に多いターン数巻き回した構造のループアンテナが通常採用されており、ＡＭアンテナのサイズは大きい。
携帯電話機にＡＭ放送の受信機能を搭載した場合には、ＡＭ放送専用のＡＭアンテナのために携帯電話機のサイズが大きくなってしまうという問題がある。
【０００５】
そこで、本発明は、ＨＡＣ規格対応の携帯電話機にＡＭ放送の受信機能を搭載する場合に、携帯電話機にＡＭ放送の受信機能を搭載したことに起因する携帯電話機のサイズの増大を抑えることが可能な携帯電話機を提供することを目的とする。
【課題を解決するための手段】
【０００６】
上記目的を達成するために本発明の携帯電話機は、ＨＡＣ（Hearing Aid Compatibility）規格に対応する携帯電話機において、ボイスコイル及び当該ボイスコイルに供給する音声信号の周波数に応じた磁界を発生させるためのＨＡＣコイルを有するＨＡＣスピーカと、ＡＭ放送の放送信号を復調する復調手段と、を備え、前記ＨＡＣスピーカのＨＡＣコイルを、前記復調手段において復調するＡＭ放送の放送信号を受信するためのＡＭアンテナに用いる。
【発明の効果】
【０００７】
上記携帯電話機によれば、携帯電話機をＨＡＣ規格に対応したものとするために携帯電話機に備えられたＨＡＣスピーカのＨＡＣコイルなどをＡＭアンテナに利用するようになっている。このため、ＡＭ放送の受信専用のＡＭアンテナを携帯電話機に搭載する必要がなくなって、ＡＭ放送の受信機能を搭載したことに起因する携帯電話機のサイズの増大を抑えることができる。
【０００８】
上記の携帯電話機において、前記ＨＡＣコイルと前記復調手段との間に設けられたスイッチ手段と、ＡＭ放送の受信動作時に前記ＨＡＣコイルと前記復調手段との間を導通状態にするように前記スイッチング手段の制御を行う制御手段と、をさらに備えるようにしてもよい。
これによれば、ＡＭ放送の受信動作時にのみＨＡＣコイルと復調手段とが電気的に接続される。このため、ＡＭ放送の受信動作をしていないときに、ＨＡＣコイルに供給された磁界発生用の電流が復調手段に流れ込むことによって復調手段により無駄に電力消費されることを防ぐことができる。
【０００９】
本発明の携帯電話機は、音声信号の周波数に応じた磁界を発生させるコイルを有し、音声帯域の信号を出力するスピーカ手段と、所定の周波数帯域の放送信号を復調する復調手段と、を備え、前記コイルを所定の周波数帯域の放送信号を受信するためのアンテナに用いる。
これによれば、所定の周波数帯域の放送信号を受信するための専用のアンテナを設けないため、放送の受信機能を搭載したことに起因する携帯電話機のサイズの増大を抑えることができる。
【発明を実施するための最良の形態】
【００１０】
以下、本発明の実施の形態の携帯電話機について図面を参照しつつ説明する。
≪携帯電話機≫
本実施の形態の形態電話機の構成について図１を参照しつつ説明する。図１は携帯電話機の外観図である。
図１の携帯電話機１は、ＨＡＣ規格に対応した携帯電話機であり、ＡＭ放送の受信機能を備える。
【００１１】
携帯電話機１は、図１に示すように、液晶ディスプレイなどで構成され、待ち受け画面などを表示する表示部２、各種キーなどからなる操作部３などを備える。
さらに、携帯電話機１は孔４があり、孔４に対応した携帯電話機1内部にＨＡＣスピーカ１０が内蔵されている。
本実施の形態の携帯電話機は、後述するように、ＡＭ放送の受信機能を実現するために、ＨＡＣスピーカのＨＡＣコイルをＡＭアンテナの一部に利用するものである。
【００１２】
≪ＨＡＣスピーカ≫
図１の携帯電話機１が内蔵するＨＡＣスピーカの構造について図２を参照しつつ説明する。図２はＨＡＣスピーカの断面図である。なお、本発明はＨＡＣスピーカの構造を改良するものではなく、単にＨＡＣスピーカを利用するものに過ぎないため、ＨＡＣスピーカの概略を記載するにとどめる。
【００１３】
ＨＡＣスピーカ１０は材質がポリフタルアミドなどであるフレーム１１を備える。フレーム１１には、軟鉄などの強磁性体のヨーク１２が支持されている。ヨーク１２に、円板状をしたフェライトなどの永久磁石であるマグネット１４が取り付けられ、さらに、外周が円形をした軟鉄などの強磁性体であるプレート１３が取り付けられている。
フレーム１１には、さらに、直径が４５μｍの銅線を巻きまわして造られたボイスコイル１６が支持されており、ボイスコイル１６の一端はターミナル１５ａに接続され、その他端はターミナル１５ｂ（図２では不図示）に接続されている。フレーム１１に支持された振動板１８はボイスコイル１６に接触しており、その材質はポリアミド系非結晶ポリマーであり、その厚さは５０μｍ程度である。
【００１４】
フレーム１１には、ボイスコイル１６のさらに外側に、直径が６０μｍの銅線を巻き回して造られたＨＡＣコイル１７が支持され、ＨＡＣコイル１６の一端がターミナル１５ａに、その他端がターミナル１５ｂ（図２では不図示）に接続されている。ＨＡＣコイル１７にはボイスコイル１６に供給される音声信号が供給され、当該音声信号の周波数に応じた磁界を発生させる。
【００１５】
但し、ターミナル１５ａ、１５ｂ（図２では不図示）とＡＭ復調回路（後述）との間にスイッチ９０（後述）が設けられ、携帯電話機のＡＭ放送受信動作時にはスイッチ９０が導通状態になってＨＡＣコイル１６によって受信されたＡＭ放送波がＡＭ復調回路へ供給される。
さらに、ＨＡＣスピーカ１０は、プロテクタ１９及び制動布２０を備える。
【００１６】
≪内部回路≫
図１の携帯電話機の内部回路について図３を参照しつつ説明する。図３は携帯電話機の内部の回路構成図である。但し、図３は本発明に関連する部分のみを図示している。
音声ユニット５０はアンテナ５５で受信された信号などを基にＨＡＣスピーカ１０に音声信号を供給するものであり、スイッチ回路６０を介してＨＡＣスピーカ１０のターミナル１５ａ、１５ｂに接続されている。
【００１７】
例えば、音声信号が通話音声の信号の場合、相手側の携帯電話機では、音声をマイクで集音し、集音したアナログの音声をディジタルに変換し、さらに圧縮処理を施す。そして、圧縮処理が施された後、信号がアンテナから送出される。受信側の携帯電話機では、アンテナ５５で信号を受信し、当該信号は音声ユニット５５で復元処理（圧縮された信号を圧縮前の信号に戻す処理）が施され、さらにディジタルからアナログに変換される。音声ユニット５５から出力されたアナログの信号は不図示のアンプで増幅され、増幅後の信号がＨＡＣスピーカ１０に供給される。
【００１８】
操作ユニット２０は図１の操作部３を含み、操作部３の操作ボタンの押下信号を制御ユニット７０へ出力する。
制御ユニット７０は携帯電話機１の各種制御を行うものである。制御ユニット７０は、例えば、操作ユニット２０からの押下信号を基に、ＡＭ放送の受信の開始に関する操作を検出すると、スイッチ回路９０を導通状態にし、スイッチ回路６０を非導通状態にする。また、制御ユニット７０は、操作ユニット２０からの押下信号を基に、ＡＭ放送の受信の終了に関する操作を検出すると、スイッチ回路９０を非導通状態にし、スイッチ回路６０を導通状態にする。
【００１９】
スイッチ回路６０は、制御ユニット７０に制御され、ＡＭ放送の受信動作時以外では導通状態にされ、ＡＭ放送の受信動作時では非導通状態にされる。
また、ＡＭ放送の放送波を復調するＡＭ復調ユニット８０はスイッチ回路９０を介してＨＡＣスピーカ１０のターミナル１５ａ、１５ｂに接続されている。スイッチ回路９０は、制御回路７０に制御され、ＡＭ放送の受信動作時以外では非導通状態にされ、ＡＭ放送の受信動作時では導通状態にされる。
【００２０】
ＡＭ復調ユニット８０は、例えば、スーパヘテロダイン方式でＡＭ復調処理を実現するユニットである。スーパヘテロダイン方式では、スイッチ回路９０を介して入力されるＡＭ放送の放送信号であるＲＦ（Radio Frequency）信号を高周波増幅器８１で増幅し、増幅されたＲＦ信号をミキサ８３において局部発振器８２で発振された所定周波数の信号でミキシングして、ＩＦ（Intermediate Frequency）信号にダウンコンバートする。中間周波数増幅器８４でＩＦ信号を増幅し、復調器８５で例えば包絡線検波などをしてベースバンド信号の音声信号に変換し、低周波増幅器８６で増幅する。低周波増幅器８６で増幅された音声信号に基づく音声がスピーカ３０から出力される。
【００２１】
スピーカ３０は、例えば、ハンズフリー用スピーカやイヤホンジャックなどである。
≪動作≫
上述した携帯電話機１では、ＡＭ放送の受信動作時には、制御回路７０によって、スイッチ回路６０が非導通状態に、スイッチ回路９０が導通状態にされる。
ＨＡＣスピーカ１０のＨＡＣコイル１７によって受信されたＡＭ放送のＲＦ信号がスイッチ回路９０を介してＡＭ復調ユニット８０に供給され、ＡＭ復調ユニット８０によって復調され、スピーカ３０から音声が出力される。
【００２２】
このとき、ＨＡＣスピーカ１０のＨＡＣコイル１７で受信したＡＭ放送のＲＦ信号が音声ユニット５０に流れ込むことがなく、受信されたＡＭ放送のＲＦ信号を効率的にＡＭ復調ユニット８０に供給される。
また、ＡＭ放送の受信動作時以外では、制御回路７０によって、スイッチ回路６０が導通状態にされ、スイッチ回路９０が非導通状態にされる。
【００２３】
音声ユニット５０は、音声信号を発生して増幅し、増幅された音声信号がスイッチ回路６０を介してＨＡＣスピーカ１０のボイスコイル１６及びＨＡＣコイル１７に供給される。ボイスコイル１６は供給される音声信号の周波数で振動し、これによってボイスコイル１６に接触している振動板１８が音声信号の周波数で振動し、音声を出力する。このとき、ＨＡＣコイル１７は供給される音声信号の周波数に応じた磁界を発生し、当該磁界により出力音声の補聴器による視聴の補助が行われる。
【００２４】
≪制御ユニットの処理フロー≫
図３の携帯電話機の制御ユニットの処理について図４を参照しつつ説明する。図４は図３の制御ユニットの処理フローを示すフローチャートである。
制御ユニット７０は、スイッチ回路６０を導通状態にし、スイッチ回路９０を非導通状態にする（ステップＳ１０１）。
【００２５】
制御ユニット７０は、操作ユニット２０から押下信号が入力されると、操作ユニット２０から入力される押下信号を基に、ＡＭ放送の受信の開始に関する操作が行われたか否かを判定する（ステップＳ１０２）。
ＡＭ放送の受信の開始に関する操作が行われていない場合には（Ｓ１０２：ＮＯ）、ステップＳ１０２の処理が行われる。
【００２６】
一方、ＡＭ放送の受信の開始に関する操作が行われた場合には（Ｓ１０２：ＹＥＳ）、制御ユニット７０は、スイッチ回路６０を非導通状態にし、スイッチ回路９０を導通状態にする（ステップＳ１０３）。
制御ユニット７０は、操作ユニット２０から押下信号が入力されると、操作ユニット２０から入力される押下信号を基に、ＡＭ放送の受信の終了に関する操作が行われたか否かを判定する（ステップＳ１０４）。
【００２７】
ＡＭ放送の受信の終了に関する操作が行われていない場合には（Ｓ１０４：ＮＯ）、ステップＳ１０４の処理が行われる。
一方、ＡＭ放送の受信の終了に関する操作が行われた場合には（Ｓ１０４：ＹＥＳ）、制御ユニット７０はステップＳ１０１の処理を行い、スイッチ回路６０が導通状態になり、スイッチ回路９０が非導通状態になる。
【００２８】
≪補足≫
本発明は上記の実施の形態で説明した内容に限定されず、本発明の目的とそれに関連又は付随する目的を達成するためのいかなる形態においても実施可能であり、例えば、以下であってもよい。
（１）上記の実施の形態のスイッチ回路６０、９０の代わりに、例えば、ＨＡＣスピーカのターミナル１５ａ、１５ｂに、ＡＭ放送の受信動作時にはＡＭ復調ユニットを接続し、ＡＭ放送の受信動作時以外は音声ユニットを接続する切替スイッチを用いるようにしてもよい。
【００２９】
（２）上記の実施の形態のスイッチ回路６０、９０を、リレースイッチや半導体スイッチなど、どのような種類のスイッチで構成してもよい。
（３）上記の実施の形態のスイッチ回路６０の代わりに音声周波数の信号を通過させるローパスフィルタやバンドパスフィルタを用いてもよく、スイッチ回路９０の代わりにＡＭ放送の放送信号を通過させるハイパスフィルタやバンドパスフィルタを用いてもよい。
【００３０】
（４）上記の実施の形態において、ＡＭラジオの受信性能が向上するように、ＨＡＣコイルの巻数を調整するようにしてもよい。なお、図５に示すＡＭラジオの評価などに利用される評価表を用いて、ＡＭラジオの受信性能を評価しながらＨＡＣコイルの巻数を調整する。
（５）上記の実施の形態では、ＨＡＣスピーカから音声信号が出力されているとして説明しており、これは携帯電話機の通話音声としての説明である。しかしながら、音声信号は本体に保存された音楽やネットワークから受け取った音楽などの再生音声（再生音楽）であってもよい。
【００３１】
（６）上記実施の形態では、ＡＭ放送の放送信号を対象として記載したが、本発明は、所定の周波数帯域の放送信号に適用できることはいうまでもない。
【産業上の利用可能性】
【００３２】
本発明は、ＨＡＣ規格に対応し、ＡＭ放送受信機能を有する携帯電話機に利用することができる。
【図面の簡単な説明】
【００３３】
【図１】携帯電話機の外観図。
【図２】図１の携帯電話機が内蔵するＨＡＣスピーカの断面図。
【図３】図１の携帯電話機が内蔵する回路の構成図。
【図４】図３の制御ユニットの処理フローを示すフローチャート。
【図５】ＡＭラジオの評価などに利用される評価表。
【符号の説明】
【００３４】
１  携帯電話機
１０  ＨＡＣスピーカ
１５ａ、１５ｂ  ターミナル
１６  ボイスコイル
１７  ＨＡＣコイル
２０  操作ユニット
３０  スピーカ
５０  音声ユニット
６０  スイッチ回路
７０  制御ユニット
８０  ＡＭ復調ユニット
９０  スイッチ回路
【図１】
2008160568.tif 000003
【図２】
2008160568.tif 000004
【図３】
2008160568.tif 000005
【図４】
2008160568.tif 000006
【図５】
2008160568.tif 000007